(57)【要約】【課題】  点灯制御のためのパラメータ又はプログラムの仕様を容易に通知できる点灯装置、照明器具、及びプログラムを提供する。【解決手段】  点灯装置１は、電源回路１２と、制御回路１３と、メモリ１４と、受信部１７と、応答部１６と、を備える。電源回路１２は、光源２へ電力を供給する。制御回路１３は、電源回路１２を制御する。メモリ１４は、制御回路１３が電源回路１２を制御するために用いる制御パラメータ及び制御プログラムの少なくとも一方を制御用データとして記憶する。受信部１７は、外部から信号を受け取る。応答部１６は、受信部１７が信号として確認信号を受け取ると、制御用データに対応する応答動作を行う。【選択図】図１
2020123560.tif 000002
【特許請求の範囲】
【請求項１】
光源へ電力を供給する電源回路と、
前記電源回路を制御する制御回路と、
前記制御回路が前記電源回路を制御するために用いる制御パラメータ及び制御プログラムの少なくとも一方を制御用データとして記憶するメモリと、
外部から信号を受け取る受信部と、
前記受信部が前記信号として確認信号を受け取ると、前記制御用データに対応する応答動作を行う応答部と、を備える
点灯装置。
【請求項２】
前記応答部は、前記応答動作として前記制御用データに対応する光を発する発光部を含む
請求項１記載の点灯装置。
【請求項３】
前記応答部は、前記応答動作として前記制御用データに対応する音を発する発音部を含む
請求項１又は２記載の点灯装置。
【請求項４】
前記光は、人の目に知覚可能な光である
請求項２記載の点灯装置。
【請求項５】
前記音は、人の耳に知覚可能な音である
請求項３記載の点灯装置。
【請求項６】
前記光は、人の目に知覚不可能な光である
請求項２記載の点灯装置。
【請求項７】
前記音は、人の耳に知覚不可能な音である
請求項３記載の点灯装置。
【請求項８】
前記光は、人の目に知覚可能な光、及び人の目に知覚不可能な光を含む
請求項２記載の点灯装置。
【請求項９】
前記音は、人の耳に知覚可能な音、及び人の耳に知覚不可能な音を含む
請求項３記載の点灯装置。
【請求項１０】
請求項１乃至９のいずれか一項に記載の点灯装置と、
前記点灯装置によって点灯する光源と、を備える
照明器具。
【請求項１１】
光源の点灯制御に用いられる制御パラメータ及び制御プログラムの少なくとも一方を制御用データとして記憶するメモリに組み合わされるコンピュータが実行するプログラムであって、
確認信号が生じると、前記制御用データに対応する応答動作を外部の応答部に行わせる
プログラム。
【発明の詳細な説明】
【技術分野】
【０００１】
本開示は、点灯装置、照明器具、及びプログラムに関する。
【背景技術】
【０００２】
従来、非常時における光源の点灯動作を遠隔操作で確認することができる誘導灯装置がある（例えば、特許文献１参照）。誘導灯装置は、リモコン発信機から動作確認信号を受信すると、非常時おける光源の点灯動作を実行する。
【先行技術文献】
【特許文献】
【０００３】
【特許文献１】特開２０１０−１８６６１６号公報
【発明の概要】
【発明が解決しようとする課題】
【０００４】
上述の誘導灯装置（点灯装置）は、マイクロコンピュータを備える。マイクロコンピュータは、点灯制御のためのパラメータ又はプログラムを用いて、光源の点灯制御を行う。しかしながら、パラメータ又はプログラムの仕様を誘導灯装置から外部へ通知することは容易ではなかった。例えば、ユーザは、誘導灯装置の回路の電流、及び電圧などの測定する必要があった。又は、ユーザは、誘導灯装置の回路にケーブルを接続して、誘導灯装置からパラメータ又はプログラムを読み出す必要があった。
【０００５】
そこで、本開示の目的とするところは、点灯制御のためのパラメータ又はプログラムの仕様を容易に通知できる点灯装置、照明器具、及びプログラムを提供することにある。
【課題を解決するための手段】
【０００６】
本開示の一態様に係る点灯装置は、電源回路と、制御回路と、メモリと、受信部と、応答部と、を備える。前記電源回路は、光源へ電力を供給する。前記制御回路は、前記電源回路を制御する。前記メモリは、前記制御回路が前記電源回路を制御するために用いる制御パラメータ及び制御プログラムの少なくとも一方を制御用データとして記憶する。前記受信部は、外部から信号を受け取る。前記応答部は、前記受信部が前記信号として確認信号を受け取ると、前記制御用データに対応する応答動作を行う。
【０００７】
本開示の一態様に係る照明器具は、上述の点灯装置と、前記点灯装置によって点灯する光源と、を備える。
【０００８】
本開示の一態様に係るプログラムは、光源の点灯制御に用いられる制御パラメータ及び制御プログラムの少なくとも一方を制御用データとして記憶するメモリに組み合わされるコンピュータが実行するプログラムである。前記プログラムは、確認信号が生じると、前記制御用データに対応する応答動作を外部の応答部に行わせる。
【発明の効果】
【０００９】
以上説明したように、本開示では、点灯制御のためのパラメータ又はプログラムの仕様を容易に通知できるという効果がある。
【図面の簡単な説明】
【００１０】
【図１】図１は、実施形態に係る点灯装置を備える照明システムのブロック図である。
【図２】図２Ａは、同上の点灯装置の光による応答動作を示すタイムチャートである。図２Ｂは、同上の点灯装置の音による応答動作を示すタイムチャートである。
【図３】図３は、同上の点灯装置を備える照明器具を示す分解斜視図である。
【発明を実施するための形態】
【００１１】
以下の実施形態は、一般に、点灯装置、照明器具、及びプログラムに関する。より詳細には、制御パラメータ及び制御プログラムの少なくとも一方を記憶している点灯装置、照明器具、及びプログラムに関する。なお、以下に説明する実施形態は、本発明の実施形態の一例にすぎない。本開示は、以下の実施形態に限定されず、本開示の効果を奏することができれば、設計等に応じて種々の変更が可能である。
【００１２】
実施形態の点灯装置、照明器具、及びプログラムは、主に、住戸、オフィス、工場、又は店舗などで用いられる。住戸は、戸建住宅及び集合住宅のいずれでもよい。
【００１３】
（実施形態）
以下、実施形態を図面に基づいて説明する。
【００１４】
実施形態の照明装置Ａ１は、図１に示すように、点灯装置１、及び光源２を備える。そして、点灯装置１は、商用電源９から交流電力を供給される。商用電源９は、例えば公称電圧１００Ｖ又は２００Ｖ、周波数５０Ｈｚ又は６０Ｈｚの商用の電力系統であり、点灯装置１へ交流電力を供給する。点灯装置１と光源２は、共通の筐体に収納されて一体に構成されてもよいし、点灯装置１と光源２は、別体に構成されてもよい。
【００１５】
光源２は、複数の固体発光素子として、複数のＬＥＤ（Light Emitting Diode）を具備する。光源２は、電源回路１２の出力電圧Ｖ３を印加される。そして、光源２は、電源回路１２から負荷電流Ｉｏを供給されることで、照明光を発する。光源２が発する照明光は、昼光色、昼白色、又は電球色であることが好ましい。また、光源２が有する複数のＬＥＤは、直列接続、又は直列接続及び並列接続されている。
【００１６】
点灯装置１は、整流回路１１、電源回路１２、制御回路１３、メモリ１４、制御電源１５、応答部１６、及び受信部１７を備える。
【００１７】
整流回路１１は、ダイオードブリッジなどを有する全波整流回路であり、商用電源９の交流電圧Ｖａが入力される。整流回路１１は、交流電圧Ｖａを全波整流して、脈流電圧Ｖ１を出力する。
【００１８】
電源回路１２は、昇圧回路１２ａ、及び降圧回路１２ｂを有する。昇圧回路１２ａは、脈流電圧Ｖ１を昇圧して直流の中間電圧Ｖ２に変換し、降圧回路１２ｂに中間電圧Ｖ２を出力する。昇圧回路１２ａは、第１スイッチング素子を有する昇圧チョッパ回路であり、第１スイッチング素子がオンオフすることによって、脈流電圧Ｖ１が直流の中間電圧Ｖ２に昇圧される。降圧回路１２ｂは、中間電圧Ｖ２を降圧して直流の出力電圧Ｖ３に変換し、出力電圧Ｖ３を出力する。降圧回路１２ｂの出力端間には光源２が電気的に接続されており、降圧回路１２ｂは、光源２に直流の負荷電流Ｉｏを供給する。降圧回路１２ｂは、第２スイッチング素子を有する降圧チョッパ回路であり、第２スイッチング素子がオンオフすることによって、中間電圧Ｖ２が直流の出力電圧Ｖ３に降圧される。第１スイッチング素子及び第２スイッチング素子は、ＭＯＳＦＥＴ（Metal Oxide Semiconductor Field Effect Transistor）、又はバイポーラトランジスタなどである。
【００１９】
なお、電源回路１２は、シングルステージコンバータ（ＳＳコンバータ）で構成されてもよい。ＳＳコンバータは、力率改善回路の機能とＡＣ／ＤＣコンバータの機能とを備えた、１コンバータ方式（電圧変換が１回）のコンバータである。ＳＳコンバータとしては、例えば、力率改善機能を有する昇降圧コンバータが用いられる。
【００２０】
制御回路１３は、電源回路１２を制御する。具体的に、制御回路１３は、昇圧回路１２ａが有する第１スイッチング素子及び第２スイッチング素子のスイッチング動作（スイッチング周波数、及びオンデューティなど）を制御する。そして、制御回路１３は、電源回路１２を制御することで、負荷電流Ｉｏの値を調整できる。
【００２１】
制御回路１３は、プログラムを実行することで制御回路１３として機能するプロセッサであり、ＣＰＵ（Central Processing Unit）、又はＭＰＵ（Micro Processing Unit）などであってもよい。メモリ１４には、制御回路１３が用いる制御用データが予め格納されている。制御用データは、制御回路１３が電源回路１２を制御するために用いる制御パラメータ及び制御プログラムを含む。制御回路１３は、メモリ１４に格納されている制御用データ（制御パラメータ及び制御プログラム）を読み出し、制御プログラムを実行し、かつ、制御パラメータを適用することで、所定の制御アルゴリズムにしたがって、電源回路１２を制御する。例えば、制御回路１３は、中間電圧Ｖ２、出力電圧Ｖ３、及び負荷電流Ｉｏの各値を検出し、検出した各値を上述の制御アルゴリズムに適用して電源回路１２を制御することで、負荷電流Ｉｏを所望の値に調整することができる。
【００２２】
制御用データは、制御パラメータ及び制御プログラムの少なくとも一方を含んでいればよい。すなわち、制御用データは、制御回路１３が電源回路１２を制御するために用いる制御パラメータ及び制御プログラムの少なくとも一方である。制御パラメータは、スイッチング素子のスイッチング周波数及びオンデューティの設定値、中間電圧Ｖ２、出力電圧Ｖ３、負荷電流Ｉｏの各目標値及び各上限値、並びに調光カーブなどの少なくとも１つである。制御プログラムは、制御アルゴリズムを表しており、制御アルゴリズムには制御パラメータが適用される。
【００２３】
点灯装置１は、上述のように制御回路１３を含むコンピュータを備えている。このコンピュータがメモリ１４に記憶されているプログラムを読み出して実行することによって、制御回路１３の一部又は全部の機能が実現される。コンピュータは、プログラムに従って動作するプロセッサを主なハードウェア構成として備える。プロセッサは、プログラムを実行することによって機能を実現することができれば、その種類は問わない。プロセッサは、半導体集積回路（ＩＣ）、又はＬＳＩ（large scale integration）を含む一つ又は複数の電子回路で構成される。ここでは、ＩＣやＬＳＩと呼んでいるが、集積の度合いによって呼び方が変わり、システムＬＳＩ、ＶＬＳＩ(very large scale integration)、若しくはＵＬＳＩ(ultra large scale integration) と呼ばれるものであってもよい。ＬＳＩの製造後にプログラムされる、フィールド・プログラマブル・ゲート・アレイ(FPGA)、又はＬＳＩ内部の接合関係の再構成又はＬＳＩ内部の回路区画のセットアップができる再構成可能な論理デバイスも同じ目的で使うことができる。複数の電子回路は、一つのチップに集積されてもよいし、複数のチップに設けられてもよい。複数のチップは一つの装置に集約されていてもよいし、複数の装置に備えられていてもよい。メモリ１４は、コンピュータが読み取り可能なＲＯＭ、光ディスク、ハードディスクドライブなどの非一時的記録媒体である。プログラムは、メモリ１４に予め格納されていてもよいし、インターネット等を含む広域通信網を介してメモリ１４に供給されてもよい。また、メモリ１４の制御用データは、書き換え可能であってもよい。
【００２４】
制御電源１５は、脈流電圧Ｖ１を降圧して直流の制御電圧Ｖｃに変換し、制御回路１３、メモリ１４、及び応答部１６に制御電圧Ｖｃを出力する。制御電源１５は、リニアレギュレータ、又はスイッチング電源で構成される。
【００２５】
応答部１６は、発光部１６ａ、及び発音部１６ｂを備える。発光部１６ａは、補助光源１６１、及び制御電圧Ｖｃを入力されて補助光源１６１を点灯させる点灯回路１６２を有する。発音部１６ｂは、スピーカ１６３、及び制御電圧Ｖｃを入力されてスピーカ１６３から音を出力させる音源１６４を有する。
【００２６】
受信部１７は、リモートコントローラ３から無線信号を受け取ることができる。無線信号は、制御回路１３への指示を表す指示情報を含む。受信部１７は、無線信号を受信すると、無線信号を復調した電気信号である指示信号を制御回路１３へ引き渡す。制御回路１３は、指示信号による指示に基づいて、電源回路１２、及び応答部１６を制御する。リモートコントローラ３から受信部１７への信号伝送は、赤外線通信、無線ＬＡＮ、又は小電力無線などによって行われる。
【００２７】
指示信号には、制御用データの仕様（データ仕様）の確認要求である確認信号が含まれる。リモートコントローラ３が、点灯装置１の点灯、消灯、又は調光などを指示する機能を有する場合、リモートコントローラ３の主な操作者は、点灯装置１を購入した顧客である。一方、データ仕様の確認は、主に点灯装置１の保守又は管理を行う作業者によって行われる。そこで、顧客の誤操作による確認信号の送信を抑制するために、リモートコントローラ３に対する隠しコマンドの操作によって、リモートコントローラ３から確認信号が送信されることが好ましい。
【００２８】
また、点灯装置１が作業者によって操作される確認スイッチを備えていてもよい。この場合、受信部１７は、有線電路を介した信号入力が可能な入力ポートを有する。そして、作業者が確認スイッチを操作することで、点灯装置１の内部に確認信号が発生し、確認信号は、有線電路を介して受信部１７へ伝達される。
【００２９】
以下、確認信号による応答部１６の応答動作について説明する。
【００３０】
点灯装置１の仕様（製品仕様）には、光源２の定格電力、光源２の定格電流、点灯装置１の製造年月日、点灯装置１が有するオプション機能、及び制御用データのリビジョンなどがある。オプション機能は、人感センサ、及び照度センサなどの外部センサとの接続の可否などである。電源回路１２の制御アルゴリズムは、製品仕様に応じて決まり、複数の装置仕様にそれぞれ対応する複数の制御アルゴリズムが存在する。したがって、複数の制御アルゴリズムにそれぞれ対応する複数のデータ仕様が存在する。この結果、複数の点灯装置１があった場合、複数の点灯装置１で用いられている各制御用データのデータ仕様が互いに異なる場合がある。しかしながら、点灯装置１の外観から、当該点灯装置１に搭載されている制御用データのデータ仕様を判別することは困難である。そこで、点灯装置１は、確認信号を受信すれば、メモリ１４に格納されている制御用データのデータ仕様に対応する応答動作を、応答部１６に行わせる。メモリ１４に格納されている制御用データのデータ仕様の情報は、メモリ１４に予め格納されている。メモリ１４に格納されているデータ仕様の情報は、複数のデータ仕様のいずれかに対応する識別情報である。
【００３１】
まず、受信部１７が、リモートコントローラ３から確認信号を受信する。受信部１７は、確認信号を受信すると、確認信号を復調した電気信号である確認受信信号を制御回路１３へ引き渡す。確認受信信号を認識した（確認信号が生じたことを認識した）制御回路１３は、データ仕様の情報をメモリ１４から読み出し、データ仕様に応じた応答動作を応答部１６に行わせる。
【００３２】
応答部１６は、発光部１６ａ、及び発音部１６ｂを備える。
【００３３】
発光部１６ａは、補助光源１６１、及び点灯回路１６２を有する。補助光源１６１は、少なくとも１つのＬＥＤを具備する。点灯回路１６２は、制御電圧Ｖｃを入力され、補助光源１６１へ直流電流を供給する。補助光源１６１は、点灯回路１６２から直流電流を供給されることで、補助光を発する。制御回路１３は、データ仕様に応じた応答動作として、点灯回路１６２を制御して、データ仕様に応じた光を補助光源１６１から出力させる。
【００３４】
応答動作として、例えば補助光源１６１は、図２Ａに示すように、周期Ｔ１毎にデータ仕様に応じた点滅回数Ｎ１の点滅動作を行う。補助光源１６１の点滅周期Ｔ２は予め一定値に決まっており、Ｔ２＜Ｔ１の関係にある。周期Ｔ１内での補助光源１６１の点滅回数Ｎ１は、データ仕様毎に予め決まっており、制御回路１３は、データ仕様に対応した点滅回数Ｎ１だけ補助光源１６１を点滅させるように、点灯回路１６２を制御する。データ仕様毎の点滅回数Ｎ１は、データ仕様の情報に含まれる数字情報、又は文字情報などに対応して決まることが好ましい。
【００３５】
補助光源１６１が可視光を発するＬＥＤである場合、点滅周期Ｔ２が０．５秒より長ければ、人の目は可視光の点滅を容易に知覚でき、人は点滅回数Ｎ１を容易にカウントできる。すなわち、点滅周期Ｔ２が０．５秒より長ければ、人の視覚は、補助光源１６１の光の点滅を感じることができる。人は、カウントした点滅回数Ｎ１に基づいて、メモリ１４に格納されているデータ仕様を判別できる。この場合、点滅周期Ｔ２が０．５秒より長く、５秒より短いことが好ましい。特に、点滅周期Ｔ２は、０．５秒より長く、２秒より短いことが好ましい。本実施形態では、点滅周期Ｔ２は、例えば２秒に設定される。補助光源１６１は、例えば赤色の光を発するＬＥＤである。また、光源２が補助光源１６１を兼用してもよい。また、補助光源１６１は、常夜灯であってもよい。
【００３６】
また、補助光源１６１が可視光を発する調色可能な光源であってもよい。この場合、制御回路１３は、点灯回路１６２を制御することで、補助光源１６１を調色できる。そして、制御回路１３は、補助光源１６１の光色がデータ仕様に対応した光色になるように、点灯回路１６２を制御する。
【００３７】
なお、補助光源１６１は、複数のＬＥＤを有してもよい。
【００３８】
次に、発音部１６ｂは、スピーカ１６３、及び音源１６４を有する。音源１６４は、少なくとも１つの音源データを記憶しており、音源データを用いてスピーカ１６３へ音信号を出力する。音源１６４は、例えば集積化された音声チップなどであることが好ましい。スピーカ１６３は、音源１６４からの音信号によって、音を発する。制御回路１３は、データ仕様に応じた応答動作として、音源１６４を制御して、データ仕様に応じた音をスピーカ１６３から出力させる。また、発音部１６ｂは、圧電ブザーであってもよい。
【００３９】
音源１６４がブザー音の音源データを記憶している場合、応答動作として、スピーカ１６３は、図２Ｂに示すように、周期Ｔ１１毎にデータ仕様に応じた繰り返し回数Ｎ２のブザー音を断続的に発する。ブザー音の断続周期Ｔ１２は予め一定値に決まっており、Ｔ１２＜Ｔ１１の関係にある。周期Ｔ１１内でのブザー音の繰り返し回数Ｎ２は、データ仕様毎に予め決まっており、制御回路１３は、データ仕様に対応した繰り返し回数Ｎ２だけブザー音を断続的に発するように、音源１６４を制御する。すなわち、スピーカ１６３は、断続周期Ｔ１２毎に、所定の周波数の音を発する。データ仕様毎の繰り返し回数Ｎ２は、データ仕様の情報に含まれる数字情報、又は文字情報などに対応して決まることが好ましい。
【００４０】
スピーカ１６３が発する音は、人の耳に知覚可能な音であることが好ましい。この場合、人の聴覚は、スピーカ１６３が発する音を感じることができる。具体的に、スピーカ１６３が発する音の周波数は、人の可聴周波数域（一般的には、２０Ｈｚ−２０ｋＨｚ程度）に収まっていることが好ましい。例えば、スピーカ１６３は、断続周期Ｔ１２毎に可聴周波数で振動し、断続周期Ｔ１２毎に可聴周波数域の音を発する。そして、人の耳は断続的な音を知覚し、人は、音の繰り返し回数Ｎ２を容易にカウントできる。人は、カウントした音の繰り返し回数Ｎ２に基づいて、メモリ１４に格納されているデータ仕様を判別できる。この場合、断続周期Ｔ１２が０．５秒より長く、５秒より短いことが好ましい。特に、断続周期Ｔ１２は、０．５秒より長く、２秒より短いことが好ましい。本実施形態では、断続周期Ｔ１２は、例えば２秒に設定される。
【００４１】
また、音源１６４が、複数の音源データを記憶していてもよい。この場合、制御回路１３は、音源１６４を制御することで、スピーカ１６３から発せられる音の種類を変えることができる。そして、制御回路１３は、スピーカ１６３から発せられる音の種類がデータ仕様に対応した音の種類になるように、音源１６４を制御する。複数の音源データは、互いに周波数が異なる複数の音、互いに音色が異なる複数の音、又は複数のデータ仕様にそれぞれ対応する人の音声の各音声データなどである。
【００４２】
上述のように、点灯装置１は、応答部１６の応答動作によって、制御用データの仕様を外部に通知する。したがって、点灯装置１は、点灯制御のための制御パラメータ又は制御プログラムなどの仕様を容易に通知できる。この結果、作業者は、リモートコントローラ又は確認スイッチなどの操作によって、点灯装置１に格納されている制御用データの仕様を容易に確認できる。
【００４３】
また、応答部１６が人の目に知覚可能な光又は人の耳に知覚可能な音を用いれば、作業者は、検査端末などを準備する必要がなく、制御用データの仕様を容易に確認できる。
【００４４】
応答部１６は、発光部１６ａ、及び発音部１６ｂのいずれか一方のみを備えていてもよい。すなわち、応答部１６は、光及び音の少なくとも一方を用いた応答動作を行えばよい。
【００４５】
また、応答部１６は、受信部１７が確認信号を受け取ると、制御用データに対応する応答動作を行えばよい。例えば、応答部１６が、受信部１７から制御回路１３を介さずに確認信号を取得することで、応答部１６は、制御用データに対応する応答動作を行ってもよい。
【００４６】
（変形例）
また、応答部１６は、人の目に知覚不可能な光又は人の耳に知覚不可能な音を用いてもよい。
【００４７】
補助光源１６１が可視光を発する常夜灯などである場合、点滅周期Ｔ２が０秒より長く、かつ、０．１秒より短くてもよい。この場合、人の目は、補助光源１６１の光の点滅を明確に感じることが難しく、人は、点滅回数Ｎ１をカウントし難い。そこで、作業者は、携行型又は据置型の検査端末を用いて、点滅回数Ｎ１を検出する。検査端末は、フォトトランジスタ、ＣＣＤ（Charged Coupled Devices）、又はＣＭＯＳ（Complementary Metal Oxide Semiconductor）などの受光素子を有する、そして、検査端末は、受光素子が受光した可視光を電気信号に変換し、電気信号に信号処理を施すことで、点滅回数Ｎ１を検出できる。検査端末は、表示部を有しており、検出した点滅回数Ｎ１を表示できる。また、検査端末は、点滅回数Ｎ１に対応する制御用データの仕様、又は点滅回数Ｎ１に対応する制御用データの仕様を識別可能な文字列又はシンボルを表示してもよい。
【００４８】
また、補助光源１６１は、赤外光を発する赤外ＬＥＤであってもよい。この場合、人の目は赤外光を知覚できない。そこで、作業者は、検査端末を用いて、赤外光を検出する。検査端末は、赤外線センサを有する。そして、検査端末は、赤外線センサが受光した赤外光を電気信号に変換し、電気信号に信号処理を施すことで、点滅回数Ｎ１を検出できる。
【００４９】
スピーカ１６３が発する音の周波数は、人の可聴周波数域外であってもよい。この場合、人の耳は音を知覚し難い。そこで、作業者は、検査端末を用いて、繰り返し回数Ｎ２を検出する。検査端末は、マイクロホンなどの受音器を有する。そして、検査端末は、受音器が受音した音を電気信号に変換し、電気信号に信号処理を施すことで、繰り返し回数Ｎ２を検出できる。検査端末は、表示部を有しており、検出した繰り返し回数Ｎ２を表示できる。また、検査端末は、繰り返し回数Ｎ２に対応する制御用データの仕様、又は繰り返し回数Ｎ２に対応する制御用データの仕様を識別可能な文字列又はシンボルを表示してもよい。
【００５０】
上述の検査端末による制御用データの仕様確認では、応答部１６は、人の目に知覚不可能な光又は人の耳に知覚不可能な音を、応答動作に用いることができる。そこで、人が繰り返し回数Ｎ１をカウントできない程度にまで、周期Ｔ１、及び点滅周期Ｔ２を短くしてもよい。また、人が繰り返し回数Ｎ２をカウントできない程度にまで、周期Ｔ１１、及び断続周期Ｔ１２を短くしてもよい。この場合でも、検査端末による制御用データの仕様確認は可能になる。この結果、制御用データの仕様確認に要する時間を短縮でき、制御用データの仕様確認を素早く完了させることができる。
【００５１】
また、補助光源１６１は、人の目に知覚可能な光、及び人の目に知覚不可能な光の両方を出力可能な構成であってもよい。例えば、発光部１６ａは、人が繰り返し回数Ｎ１をカウントできる周期Ｔ１及び点滅周期Ｔ２の光と、人が繰り返し回数Ｎ１をカウントできないほど短い周期Ｔ１及び点滅周期Ｔ２の光りとの両方を発する。したがって、応答部１６の応答動作によって、人及び検査端末の両方が、繰り返し回数Ｎ１をカウントできる。また、発光部１６ａは、可視光、及び赤外光の両方を発してもよい。
【００５２】
また、音源１６４は、人の耳に知覚可能な音、及び人の耳に知覚不可能な音の各音源を記憶していてもよい。例えば、発音部１６ｂは、人が繰り返し回数Ｎ２をカウントできる周期Ｔ１１及び断続周期Ｔ１２の音と、人が繰り返し回数Ｎ２をカウントできないほど短い周期Ｔ１１及び点滅周期Ｔ１２の音との両方を発する。したがって、応答部１６の応答動作によって、人及び検査端末の両方が、繰り返し回数Ｎ２をカウントできる。この場合、スピーカ１６３から発せられる音は、人の耳に知覚可能な音、及び人の耳に知覚不可能な音の両方を含む。また、発音部１６ｂは、人の可聴周波数域内の音、及び人の可聴周波数域外の音の両方を発してもよい。
【００５３】
なお、上述の検査端末は、専用端末、又は専用のアプリケーションをインストールしたスマートフォンなどである。
【００５４】
（照明器具）
図３の照明器具Ｂ１は、上述の点灯装置１を備える照明器具の一例である。照明器具Ｂ１は、点灯装置１、光源２、器具本体５、及びカバー６などを備え、引掛シーリング７を用いて天井に直付けされるシーリングライトである。
【００５５】
引掛シーリング７は、例えば、照明空間の天井に設けられる引掛シーリングボディ７０と、引掛シーリングボディ７０に装着される引掛シーリングアダプタ（以下、アダプタと略す。）７１と、で構成される。ただし、このような引掛シーリング７は従来周知であるから、詳細な構造の図示並びに説明は省略する。
【００５６】
器具本体５は、本体部５０と、反射板５１と、枠部５２とを有する。本体部５０は、鋼板などの金属材料により、下面が開放された扁平な有底円筒形状に形成される。本体部５０の上面の中心には、アダプタ７１が取り付けられる取付部５００が設けられている。取付部５００は、両端が開放された円筒形状に形成される。そして、引掛シーリングボディ７０に取り付けられたアダプタ７１が取付部５００に挿入され、器具本体５が引掛シーリング７に保持されて天井に取り付けられる。
【００５７】
反射板５１は、本体部５０と同じく鋼板などの金属材料で円板状に形成され、本体部５０の開放端を塞ぐようにして本体部５０に固定される。また、反射板５１は、中央部分に長孔状の貫通孔５１０が設けられている。なお、本体部５０の取付部５００は、貫通孔５１０を通して反射板５１の下面側に露出している。
【００５８】
枠部５２は、スチロール樹脂などの合成樹脂材料で円環状に形成される。そして、枠部５２は、本体部５０の周縁が嵌め込まれるようにして本体部５０と一体に構成される。
【００５９】
光源２は、円環状の実装基板と、実装基板の表面（下面）に周方向に沿って実装された多数のＬＥＤと、実装基板の周方向に沿ってＬＥＤを覆うように設けられた配光制御部材を有する。配光制御部材は、透光性を有する樹脂材料で形成され、ＬＥＤから放射される光（照明光）を拡散させて下方へ照射するように構成される。光源２は、反射板５１の下面において、貫通孔５１０を中心とする同心円上の位置にねじ止めして固定される。
【００６０】
補助光源１６１及びスピーカ１６３は、反射板５１の下面において、貫通孔５１０の近傍ににねじ止めしてそれぞれ固定される。
【００６１】
点灯装置１は、本体部５０の上面に取り付けられ、引掛シーリング７を介して商用電源９から交流電力を供給される。点灯装置１からはケーブル１０１が導出され、ケーブル１０１の先端にはプラグコネクタ１０２が設けられている。そして、プラグコネクタ１０２が、アダプタ７１の下面中央に設けられたレセプタクルコネクタ７１１に接続される。すなわち、点灯装置１は、引掛シーリング７、及びケーブル１０１を介して商用電源９から給電される。
【００６２】
カバー６は、透光性を有する合成樹脂材料（例えば、アクリル樹脂等）により、上面が開口しかつ下向きに凸となる中空の半球状に形成されている。カバー６は、開口端の内周面に、６つの突部６０が周方向に沿って等間隔に設けられている。そして、カバー６は、器具本体５の下面に周方向に沿って設けられる３つの取付具５３及び３つの支持金具５４に各突部６０が支持されることで、器具本体５の下面における枠部５２の内側に取り付けられる。
【００６３】
なお、点灯装置１を備える照明器具は、上述の照明器具Ｂ１に限定されず、例えば天井に埋込配設されるダウンライトなどの他の照明器具であってもよい。
【００６４】
以上のように、実施形態に係る第１の態様の点灯装置（１）は、電源回路（１２）と、制御回路（１３）と、メモリ（１４）と、受信部（１７）と、応答部（１６）と、を備える。電源回路（１２）は、光源（２）へ電力を供給する。制御回路（１３）は、電源回路（１２）を制御する。メモリ（１４）は、制御回路（１３）が電源回路（１２）を制御するために用いる制御パラメータ及び制御プログラムの少なくとも一方を制御用データとして記憶する。受信部（１７）は、外部から信号を受け取る。応答部（１６）は、受信部（１７）が信号として確認信号を受け取ると、制御用データに対応する応答動作を行う。
【００６５】
上述の点灯装置（１）は、点灯制御のための制御パラメータ又は制御プログラムなどの仕様を容易に通知できる。
【００６６】
また、実施形態に係る第２の態様の点灯装置（１）では、第１の態様において、応答部（１６）は、応答動作として制御用データに対応する光を発する発光部（１６ａ）を含むことが好ましい。
【００６７】
上述の点灯装置（１）は、光によって、点灯制御のための制御パラメータ又は制御プログラムなどの仕様を容易に通知できる。
【００６８】
また、実施形態に係る第３の態様の点灯装置（１）では、第１又は第２の態様において、応答部（１６）は、応答動作として制御用データに対応する音を発する発音部（１６ｂ）を含むことが好ましい。
【００６９】
上述の点灯装置（１）は、音によって、点灯制御のための制御パラメータ又は制御プログラムなどの仕様を容易に通知できる。
【００７０】
また、実施形態に係る第４の態様の点灯装置（１）では、第２の態様において、光は、人の目に知覚可能な光であることが好ましい。
【００７１】
上述の点灯装置（１）では、人は、検査端末などを準備する必要がなく、制御用データの仕様を容易に確認できる。
【００７２】
また、実施形態に係る第５の態様の点灯装置（１）では、第３の態様において、音は、人の耳に知覚可能な音であることが好ましい。
【００７３】
上述の点灯装置（１）では、人は、検査端末などを準備する必要がなく、制御用データの仕様を容易に確認できる。
【００７４】
また、実施形態に係る第６の態様の点灯装置（１）では、第２の態様において、光は、人の目に知覚不可能な光であることが好ましい。
【００７５】
上述の点灯装置（１）は、制御用データの仕様確認を素早く完了させることができる。特に、人が繰り返し回数（Ｎ１）をカウントできない程度にまで、光の周期（Ｔ１）、及び点滅周期（Ｔ２）を短くすることが好ましい。
【００７６】
また、実施形態に係る第７の態様の点灯装置（１）では、第３の態様において、音は、人の耳に知覚不可能な音であることが好ましい。
【００７７】
上述の点灯装置（１）は、制御用データの仕様確認を素早く完了させることができる。特に、人が繰り返し回数（Ｎ２）をカウントできない程度にまで、音の周期（Ｔ１１）、及び断続周期（Ｔ１２）を短くすることが好ましい。
【００７８】
また、実施形態に係る第８の態様の点灯装置（１）では、第２の態様において、光は、人の目に知覚可能な光、及び人の目に知覚不可能な光を含むことが好ましい。
【００７９】
上述の点灯装置（１）は、点灯制御のための制御パラメータ又は制御プログラムなどの仕様を容易に通知できる。
【００８０】
また、実施形態に係る第９の態様の点灯装置（１）では、第３の態様において、音は、人の耳に知覚可能な音、及び人の耳に知覚不可能な音を含むことが好ましい。
【００８１】
上述の点灯装置（１）は、点灯制御のための制御パラメータ又は制御プログラムなどの仕様を容易に通知できる。
【００８２】
また、実施形態に係る第１０の態様の照明器具（Ｂ１）は、第１乃至第９の態様のいずれか一つの点灯装置（１）と、点灯装置（１）によって点灯する光源（２）と、を備える。
【００８３】
上述の照明器具（Ｂ１）は、点灯制御のための制御パラメータ又は制御プログラムなどの仕様を容易に通知できる。
【００８４】
また、実施形態に係る第１１の態様のプログラムは、光源（２）の点灯制御に用いられる制御パラメータ及び制御プログラムの少なくとも一方を制御用データとして記憶するメモリ（１４）に組み合わされるコンピュータ（１３）が実行するプログラムである。プログラムは、確認信号が生じると、制御用データに対応する応答動作を外部の応答部（１６）に行わせる。
【００８５】
上述のプログラムは、点灯制御のための制御パラメータ又は制御プログラムなどの仕様を容易に通知できる。
【００８６】
また、上述の実施形態及び変形例は一例である。このため、本発明は、上述の実施形態及び変形例に限定されることはなく、この実施形態及び変形例以外であっても、本発明に係る技術的思想を逸脱しない範囲であれば、設計等に応じて種々の変更が可能であることは勿論である。
【符号の説明】
【００８７】
１  点灯装置
１２  電源回路
１３  制御回路
１４  メモリ
１６  応答部
１６ａ  発光部
１６ｂ  発音部
１７  受信部
２  光源
Ｂ１  照明器具
【図１】
2020123560.tif 000003
【図２】
2020123560.tif 000004
【図３】
2020123560.tif 000005